(57)【要約】【課題】  各種のダンスや舞踊およびスポーツ等の動作の練習を行うときに、自宅等において気楽に練習を行うことができる教材を提供する。【解決手段】  顔、手等の身体の主要部位ごとに複数種の基本的な動作のパターンを図で表示した基本パターンとこの基本パターンの動作意味を文章で表示した基本動作パターン解説部と、身体の主要部位を図で表現した身体基本図を所定の間隔をおいて多数配列して表示した練習用動作記載部を備えたダンス等の練習用教材である。この練習用動作記載部に表示されている身体基本図は、ダンス等における身体の一連の動作に追従するように、基本動作パターン解説部に表示されている基本パターンのいずれかを転記して身体の動作を表現することが可能となるように配列されている。【選択図】  図４
2006061492.tif 000002
【特許請求の範囲】
【請求項１】
身体の一連の動作を必要とするダンス等を習得するための練習用教材であって、
顔、手等の身体の主要部位ごとに複数種の基本パターンを図で表示した基本パターン部分と、前記基本パターンの動作意味を説明した基本パターン説明部分を有する基本動作パターン解説部と、
身体の主要部位を図で表現した身体基本図を、所定の間隔をおいて多数配列して表示した練習用動作記載部を備え、
さらに、前記練習用動作記載部に表示されている前記各身体基本図は、前記ダンス等における身体の一連の動作に追従するように、前記基本動作パターン解説部に表示されている前記基本パターンのいずれかを転記して身体の動作を表現することが可能となるように配列されていることを特徴とするダンス等の練習用教材。
【請求項２】
前記練習用動作記載部は、前記基本パターンが転記された一連の前記身体基本図に対応して、前記ダンス等の対象となる曲目の歌詞、手の動作の説明、足の動作に関する説明のうちの少なくとも一つを記入する記入欄を備えていることを特徴とする請求項１に記載のダンス等の練習用教材。
【請求項３】
前記基本動作パターン解説部と練習用動作記載部と前記基本パターンと、
さらに、前記基本パターンと前記練習用動作記載部を表示装置に表示させて、前記表示された前記基本パターンのいずれかを前記表示された前記練習用動作記載部の身体基本図に追加して描画する手段が記憶されているコンピュータ読み取り可能な記録媒体からなることを特徴とする請求項１または請求項２に記載のダンス等の練習用教材。
【請求項４】
前記練習用教材は、フラダンスを対象とした練習用教材であることを特徴とする請求項１から請求項３に記載のダンス等の練習用教材。
【発明の詳細な説明】
【技術分野】
【０００１】
本発明は、身体の一連の動作、身振りを伴う各種のダンスや舞踊等、を練習するための教材である練習ノート等の練習用教材に関するものである。
【背景技術】
【０００２】
各種のダンスや舞踊、あるいは一部のスポーツにおいては、身体の各部位、例えば、顔、手、足、胴体等の主要部位について、一連の連続したしなやかな動作や身振りが要求される。さらに、音楽や歌に合せて一連の連続した動作や身振りが要求される場合もある。このため、これらのダンスや舞踊あるいはスポーツ技術を習得しようとすると、まず、教習所やスポーツクラブ等に通って基本的な動作や身振りを習得し、さらに、自宅等で繰り返して練習することが広く行われている。この練習用教材として、各種の教本やＶＴＲやＤＶＤに動作や身振りを動画像として記憶した教材も実用化されている。このようなダンスや舞踊あるいはスポーツの練習用教材として、例えば、下記の特許文献により提案されている。
【０００３】
【特許文献１】実開平５−２７７７５号公報（明細書第５頁〜第７頁、図１、図２）
【特許文献２】特開平１１−２５３５９９号公報（明細書第３頁〜第５頁、図１、図１０）
【特許文献３】特開２００４−１２１７７５号公報（明細書第３頁〜第５頁、図１、図１０）
【０００４】
上記特許文献１には、体育実技の解説書の内容をカード化し、このカードには、各技能のフォームを図解で解説した部分と、必要に応じて技能の向上のための練習方法を示した部分を設けた体育実技カードが提案されている。
【０００５】
上記特許文献２には、スポーツクラブ等において会員がトーレーニング（エクササイズ）を行う際のメニューシート（カード）の提供を目的として、使用する器具の図と、エクササイズの名称、概要、器具の用法等と、器具やエクササイズの使用回数、繰返し回数等のメニューを個人別に記入するメニュー記入欄とを、エクササイズ毎に一枚のカードに表示したエクササイズ用プログラムカードが提案されている。さらに、同特許文献には、個人別メニューを作るために必要なこのエクササイズ用プログラムカードを複数枚組合せて一覧可能に並べて複写して、一枚のシート状に制作することも記載されている。
【０００６】
上記特許文献３には、ダンスの教示用小冊子や本の作成を目的として、足形のフットワークの表示を、男女色分けしてその濃淡でフットワークを表示する手法と、足形の線の種類で表示する二手法を用い、さらに、この足形に付随する身体の動きを矢印、線等で構成した記号や文字記号で表示することが記載されている。
【発明の開示】
【発明が解決しようとする課題】
【０００７】
上記特許文献１に記載の体育実技カードは、各種の体育実技について、個人または集団としての技能のフォームが図として表示されているが、各種のダンスや舞踊のように、音楽の歌詞に追従して身体の一連の動きを図で表示するような構成にはされていない。
【０００８】
上記特許文献２に記載のメニューシートは、上記特許文献１と同様に、各種のダンスや舞踊のように、音楽の歌詞に追従して身体の一連の動きを図で表示するような構成にはされていない。  
【０００９】
上記特許文献３に記載のダンスの教示用小冊子は、足形の基本的なフットワークのパターンを色、濃淡、線の種類により図で表示すると共に、身体の動きを矢印、線等で構成した記号や文字記号で表示することが開示されており、上記特許文献１および特許文献２と同様に、各種のダンスや舞踊のように、音楽の歌詞に追従して顔、手等の身体の動きを図形で表示することについては記載されていない。
さらに、上記特許文献１〜３においては、練習する本人自身が自分で練習するために身体の動作等について記載する手段は備えていない。
【００１０】
そこで、本発明の目的は、各種のダンスや舞踊およびスポーツ等において、その身振りや動作の練習を行うために、予め身体の主要部位を表示した一連の図形群に、音楽の歌詞等に追従して顔や手等の身体の動作を表す基本パターンを練習者自身が書き込みを行うことができるようにした練習用教材を提供することにある。
【課題を解決するための手段】
【００１１】
本発明は、身体の一連の動作を必要とするダンス等を習得するための練習用教材であって、
顔、手等の身体の主要部位ごとに複数種の基本パターンを図で表示した基本パターン部分と、前記基本パターンの動作意味を説明した基本パターン説明部分を有する基本動作パターン解説部と、
身体の主要部位を図で表現した身体基本図を、所定の間隔をおいて多数配列して表示した練習用動作記載部を備え、
さらに、前記練習用動作記載部に表示されている前記各身体基本図は、前記ダンス等における身体の一連の動作に追従するように、前記基本動作パターン解説部に表示されている前記基本パターンのいずれかを転記して身体の動作を表現することが可能となるように配列されているダンス等の練習用教材である。
【００１２】
さらに、本発明を構成する前記練習用動作記載部は、前記基本パターンが転記された一連の前記身体基本図に対応して、前記ダンス等の対象となる曲目の歌詞、手の動作に関する説明、足の動作に関する説明のうちの少なくとも一つを記入するための記入欄を備えている。
【００１３】
さらに、本発明は、前記基本動作パターン解説部と練習用動作記載部と前記基本パターンと、
さらに、前記基本パターンと前記練習用動作記載部を表示装置に表示させて、前記表示された前記基本パターンのいずれかを前記表示された前記練習用動作記載部の身体基本図に追加して描画する手段が記憶されているコンピュータ読み取り可能な記録媒体からなるダンス等の練習用教材である。
【００１４】
さらに、本発明の練習用教材は、フラダンスを対象とした練習用教材である。
【００１５】
なお、本発明において、練習用教材とは、ノートやシート状の紙、あるいは本等の印刷物、またはフロッピーディスクやＣＤ−ＲＯＭ等のコンピュータ読み取り可能な記録媒体からなり、ダンス等の教習所が練習生や会員等に練習用の教材として販売、貸与、あるいは一般の書店等において販売することが可能な教材である。また、本発明において「ダンス等」とは、フラダンス、ワルツ、タンゴ等のダンスの他に、日本舞踊等も含み、さらに、音楽等に合せて身体の各部位について一連の連続した動作を伴うスポーツ等も含むものである。
【発明の効果】
【００１６】
本発明によるダンス等の練習用教材は、次のような効果を有している。
（１）本発明を構成する基本動作パターン解説部においては、教習所で指導する身体の顔（頭）や手等の主要部位の基本的な動作を、基本パターンとして図で表示している部分とその説明文が表示されている部分を備えている。練習生は、教習所や自宅等において自分で練習するために、本発明を構成する練習用動作記載部に予め多数配列表示されている身体基本図に、この身体の顔（頭）や手等の主要部位の基本パターンを一連のダンスの動作に追従するように転記して記入することができる。これにより本発明は、練習生、特に初心者は、練習用動作記載部を見ながら繰り返して練習を行うことができるので、ダンス等の基本の動作、身振りを早く習得することができるダンス等の練習用教材を提供することができる。
【００１７】
（２）本発明を構成する練習用動作記載部には、予め、身体の主要部位の一部を図で表現した身体基本図が所定の間隔をおいて多数配列して表示されている。これにより、ダンス等を練習する練習生は、教習所で教わった基本動作を、基本動作パターン解説部に表示されている基本パターン図を参照して、自分が練習し易いように、この基本パターン図を練習用動作記載部の身体基本図に転記して追加することができる。
【００１８】
（３）本発明の練習用教材は、コンピュータ読み取り可能な記録媒体とすることが可能である。このように本発明の練習用教材をコンピュータ読み取り可能な記録媒体から構成すると、練習生は、パーソナルコンピュータの表示装置に練習用動作記載部等を表示させた後、表示された各身体基本図に顔や手の基本パターンを対話方式により簡単に追加して描画することができる。これにより、練習用動作記載部にダンス等の動作や身振りについて、追加記入する作業を手書きで行う必要がなくなり、さらに、追加や訂正の操作も簡単に行うことができる。そして、入力が完了した練習用動作記載部をプリンターで印刷することにより、直ちに練習用教材として利用することができるようになる。しかも、追加入力した顔や手の基本パターン図をカラー色で印刷することも可能になる。
【発明を実施するための最良の形態】
【００１９】
本発明のダンス等の練習用教材は、ノート状の印刷物、シート状の印刷物あるいはこのシート状の印刷物を複数枚取り纏めたシート状合本、書店で販売される本、あるいはコンピュータ読み取り可能な記録媒体として実施することが可能な教材である。そして、この教材は、ダンス等を習っている練習者が教習所や自宅等で繰り返して練習するために使用されるものである。
【００２０】
本発明の練習用教材は、基本的には、基本動作パターン解説部と練習用動作記載部とから構成され、さらに、必要に応じて、表紙部分と目次部分を設けるようにするとよい。
ダンス等において、踊る動作（身振り）を行う場合には、身体の顔（頭）や手足等の主要部位ごとに基本的な動作のパターン（以下、基本パターンという）が複数決められている。上記の基本動作パターン解説部は、この基本パターンを図で表現した基本パターン部分と、この基本パターンの意味を解説するために短い文章が表示された基本パターン説明部分から構成される。この基本動作パターン解説部は、練習用教材の１〜３ページ程度を占めるようにするとよい。
【００２１】
練習用動作記載部は、身体の主要部位の一部を図で表現した身体基本図が、所定の間隔をおいて横方向に多数配列して表示されたページから構成され、ダンス等を習っている練習生が教習所や自宅等において繰り返して練習を行うためのページである。このため、練習用身体動作記載部は、ダンスの曲（歌）の進行に追従して身体の各部位における動作の要点を練習生が記入することができるように、各身体基本図に上記基本パターンを図として転記して追加することが可能になっている。さらに、練習用動作記載部には、この基本パターンを追加記入した各身体基本図に追従して曲（歌）の詞等も記入する欄を設けている。従って、練習用動作記載部は、ダンス等の曲目（名）ごとに練習生が記入する必要があるので、本発明をノート等からなる教材として実施するときには、そのページ数は少なくとも数ページ以上（例えば、１０〜２０ページ）設けられた練習用教材とすることが望ましい。
【００２２】
続いて、本発明に係るダンス等の練習用教材の実施形態について図面を参照して説明する。図１および図２は、本発明のダンス等の練習用教材を構成する基本動作パターン解説部の一例を示す。以下に説明する実施形態は、フラダンスを例に、また、教材はノート等、紙を媒体として実施する場合について説明する。
【００２３】
図１、図２に示す基本動作パターン解説部１は、ダンス等において必要とされる顔（頭）の動作（身振り）の基本パターンを複数種の図として表示（印刷）した顔の基本パターン部分２と、同じく手の基本パターンを複数種の図として表示した手の基本パターン部分３、これら基本パターン部分２と３に表示している基本パターンを組み合せて、身体の動作を図として例示した身体の動作表示例部４から構成されている。
【００２４】
顔の基本パターン部分２には、顔の形を丸形で図示し、ダンスを行うときに顔の基本的な複数種の動作を基本パターンとして一目で分かり易く表現した顔の基本パターン表示部２ａと、この基本パターン表示部２ａに図示した各パターンが意味する内容を簡単な文として印刷表示した顔の基本パターン説明部２ｂから構成されている。顔の基本的な動作とは、「身体が前を向いた状態で、顔は正面を向いているか、左向きか、あるいは右向きか、または、身体が後ろを向いた状態で上向き」等、フラダンスを踊るときの顔の基本的な動作を示す。
【００２５】
例えば、顔の基本パターン２ａ部に図示されている基本パターン２ａ１は、「身体と顔を正面に向ける」という動作を意味する。同じく、基本パターン２ａ２は、「身体は正面を向き、顔は左向き」にする動作を意味している。また、顔の基本パターン説明部２ｂに印刷表示されている説明部２ｂ１には、例えば、基本パターン２ａ１の説明文として「正面を向く」が印刷されている。
【００２６】
手の基本パターン部分３は、同じく、ダンスを行うときに手の基本的な複数種の動作をパターン図として一目で分かり易く表現した基本パターン表示部３ａと、この基本パターン表示３ａが意味する内容を簡単な文として印刷表示した基本パターン説明部３ｂから構成されている。手の基本的な動作とは、手の向き、例えば、横に伸ばした向きか、あるいは、下に伸ばした向きか、および手の平の向き、例えば、手の平を正面にするか、あるいは手の甲を正面にするか等、フラダンスを踊るときの手の基本的な動作を示す。
【００２７】
例えば、手の基本パターン３ａとして図示されている基本パターン３ａ１は、「手を横向きにし、手の平は上向き」にする動作を示す。同じく、手の基本パターン３ａ２は、「手を横向きにし、手の甲を正面の向き」にする動作を示している。また、基本パターン説明部３ｂに印刷表示されている説明部３ｂ１には、例えば、基本パターン３ａ１の説明文として「手の平を上向き」が印刷表示されている。
【００２８】
図２に示す身体の動作表示例部４は、上記した顔の基本パターン部２ａに示す各基本パターンと手の基本パターン部３ａに示す基本パターンを組み合せて、身体の動作を１つの図形として例示した身体動作４ａとその説明を簡単に表示した説明部４ｂから構成されている。例えば、図２に示す表示例１（身体動作４ａ）は、「身体は正面を向き、顔は左を向き、左手は横に伸ばし手の平は下向き、右手は下向き」にすることを示している。このように、動作表示例部４には、フラダンスの種々の動作例を示す身体動作４ａを、説明部４ｂと共に多数記載しておくようにする。
【００２９】
図３は、本発明を構成する練習用動作記載部の一例を示す図である。練習用身体動作記載部５は、フラダンスの対象となる曲（歌）名を記載する記入欄５ａ、この欄５ａに記載した曲名の歌詞を記載する記入欄５ｂ、欄５ｂに記載した歌詞の訳文（日本語等）を記載する記入欄５ｃ、手の動作を言葉で記載する記入欄５ｄ、身体の主要部位を図で表示した身体基本図Ｍを横方向に多数個配列して印刷表示した踊り動作記入欄５ｅ、足の動きを言葉で記載する記入欄５ｆ、等を備えている。これらの各記入欄５ａ〜５ｆは、フラダンスを教習所等で習っている練習（教習）生が練習を行うために、練習生自身が記入するために設けられている。
【００３０】
踊り動作記入欄５ｅに予め印刷されている身体基本図Ｍは、予め、横方向に所定の間隔を設けて配列した状態で印刷しておくようにする。この横方向に配列する身体基本図Ｍの個数は４〜６個程度にし、隣りどうしの身体基本図Ｍの間隔は、概略、１個の身体基本図Ｍの横幅程度に設定するとよい。
【００３１】
また、踊り動作記入欄５ｅに表示する身体基本図Ｍは、丸形状で表示した顔ｍ１と、曲線形状で表示した胴体ｍ２と両足ｍ３からなる図形から構成され、両手は表示していない。後記するように、フラダンス教習所でフラダンスを習っている練習生は、この踊り動作記入欄５ｅに予め印刷表示されている身体基本図Ｍに、フラダンスの曲や歌の進行に追従して、教習所で習った動作である図１に示す顔の基本パターン部２ａに示されている各基本パターン、手の基本パターン部３ａに示されている基本パターンから該当する図を手書きにより転記して追加する。すなわち、練習生は、図１に示す顔の基本パターン２ａ１、・・・、手の基本パターン３ａ１、・・・、と同一またはほぼ同一の図形を身体基本図Ｍに手書きにより転記する。このとき、転記する色はカラー色で記載するとより見やすくなる。そして、練習生は、この踊り動作記入欄５ｅ、および他の記入欄に自分で記載した内容を見ながら、また、このダンスの曲をラジカセ等から流しならが、教習所や自宅等において繰り返して練習を行う教材として使用する。
【００３２】
なお、図３に示す練習用動作記載部５には、身体基本図Ｍを、１ページ当たり４段に分けて記載した例を示しているが、この１ページ当たりの段数は、予め印刷する身体基本図Ｍの大きさ、および、印刷する用紙の大きさ（Ｂ５、Ａ４サイズ等）に応じて、適切に設定するようにする。
【００３３】
また、練習用動作記載部５において手の動作を記載する記入欄５ｄには、手の基本パターンの説明３ｂで表現していない事項を補足して記入するようにしてもよい。同じく、足の動作を記載する記入欄５ｆには、足の基本的な動作を言葉で、例えば、「カホロ右」等を記載するようにする。
【００３４】
続いて、練習用動作記載部５に練習生が実際に記入した例について説明する。図４は、曲名「プナルウ（Ｐｕ ｎａ ｌｕ'u）」のフラダンスについて、練習生が図３に示す練習用動作記載部５に記入した例を示す。上記したように、練習生がこの練習用動作記載部５への記入は、練習生が教習所で習った動作や身振りに基づいて、自分で記載する。練習生がこの練習用動作記載部５へ記入する手順やその要領は、下記（１）〜（４）に記載の手順に従って行うとよい。なお、図４において、練習生が曲名記入欄５ａ、歌詞記入欄５ｂおよび５ｃ、手の動作記入欄５ｄ、足の動作記入欄５ｆに記入した文字例は、斜体文字で示している。
【００３５】
（１）まず、曲（歌）名を記載する記入欄５ａに、該当する曲(歌)名を記入する。
（２）続いて、歌詞の記入欄５ｂ、および歌詞の訳の記入欄５ｃに、記入欄５ａに記入した曲名の歌詞を記入する。このとき、伴奏がある場言には、歌詞の記入欄５ｂに「伴奏」と記入する。
【００３６】
（３）次に、曲の始めから終わりまで、曲の進行に伴ってポイントとなる身体の動作、すなわち、顔の動作と手の動作を、踊り動作記入欄５ｅに予め印刷されている身体基本図Ｍに、順次、追加して記入する。手の動作は、左手と右手の動作の基本パターンを転記する。このとき、踊り動作記入欄５ｅに予め印刷されている身体基本図Ｍに顔の動作と手の動作を記入するときは、図１に示す顔の基本パターン部２ａと、手の基本パターン部３ａに記載されている基本パターンから、該当する基本パターンを手書きにより転記して身体動作図Ｍ１〜Ｍ２１〜・・・を作成する。このとき、図４に示すように、歌が始まる前に楽器による伴奏が設けられている場合にはこの伴奏中の身体動作図Ｍ１〜Ｍ４も記入する。
【００３７】
（４）上記（１）〜（４）の手順に従って、曲名ごとに曲の始めから終わりまでの歌詞、手の動作、足の動作の説明文を記入すると共に、身体動作図Ｍ１、・・・を描くようにする。フラダンスにおいては、歌詞の意味に合せて、顔（頭）と手の動作や身振りを行うことに特徴がある。従って、踊り動作記入欄５ｅに描く身体動作図Ｍ１、・・・は、歌詞の記入欄５ｂ、５ｃに記入した歌詞に追従するように、各身体動作図Ｍ１、・・・を描くようにする。また、隣りどうしの身体動作図Ｍ１、・・・、すなわち、前の身体動作図Ｍから次の身体動作図Ｍに動作が移るときに、一連の連続した動作が要求される場合には、図４に示すように右向きの矢印記号を記載するようにするとよい。
【００３８】
また、この一連の連続した動作について、予め配列して印刷されて身体基本図Ｍでは旨く動作を表現できない場合には、隣りどうしの身体基本図Ｍには、略身体基本図Ｍの１個分の間隔が設けられているので、練習生自身が追加して記入することができる。図４に示す身体動作図Ｍ１０は、練習生自身が身体基本図Ｍと基本パターンを追加記入した例を示している。
【００３９】
フラダンスにおいては、歌詞の意味に合せた顔（頭）と手の動作が基本となる。従って、上記実施形態の説明において、練習用動作記載部５に一連のダンスの身体動作図Ｍ１、・・・を図で表示するときに、予め設定された顔と手に関する基本パターン図を身体基本図Ｍに転記する例について示したが、他のダンス等においては、足のステップや身体の傾き等も重要になる。従って、本発明においては、足のステップの図形や身体の傾き等を図形で表示する、あるいはこれら身体の主要部位を図形で表示する欄を設けるようにしてもよい。
【００４０】
図５は、本発明を構成する練習用動作記載部５の他の実施例を説明するための図である。図５に示す練習用動作記載部５には、この各ページの最下段に、図２に示すように、予め基本パターンを用いて身体動作図を作成した見本例を数例ほど印刷した身体動作図表示例部６を設けている。このように、予め身体動作図表示例部６が各練習用動作記載部５のページに印刷されていると、練習生は、ノート等の教材のページめくりをして、図１に示す基本パターンを度々確認するという手間を省くことができるようになる。
【００４１】
なお、上記した本発明の実施形態は、基本動作パターン解説部１および練習用動作記載部５について、予め教材としての必要な情報をノート、シート、本等に予め印刷しておき、練習生が練習用動作記載部５に練習を行うために必要とする基本パターン等の図形や情報を手書きで記入する例について説明したが、本発明の練習用教材は、練習用動作記載部５に練習を行うために必要とする情報をコンピュータ処理により入力し、入力操作が完了したこの練習用動作記載部５を印刷する手段を備えたコンピュータ読み取り可能な記録媒体として提供することも可能である。なお、このコンピュータ読み取り可能な記録媒体としては、フロピーディスク、ＣＤ−ＲＯＭ、等を用いることができる。
【００４２】
本発明の練習用教材をコンピュータ読み取り可能な記録媒体として提供するためには、次の手順（１）〜（４）を実施することにより可能である。
（１）市販されているワープロ用ソフトウエア、あるいは作図プログラムを使用してパーソナルコンピュータにより、図１に示す基本動作パターン解説部１を作成して、コンピュータ読み取り可能な記録媒体に記憶する。
【００４３】
（２）同様に、市販されているワープロ用ソフトウエア、あるいは作図プログラムを使用して、図３に示す練習用動作記載部５を作成して、上記コンピュータ読み取り可能な記録媒体に記憶する。
【００４４】
（３）作図プログラムを使用して、図１、図２に示す各顔の基本パターン２ａ１、・・・と、手の基本パターン３ａ１、・・・等の各図形を作成して、基本パターン図として上記コンピュータ読み取り可能な記録媒体に記憶する。
【００４５】
（４）続いて、次の処理を行うプログラムを作成して上記コンピュータ読み取り可能な記録媒体に記憶する。
ａ）上記手順（３）で作成した基本パターン２ａ１、・・・、３ａ１、・・・と、上記手順（２）で作成した練習用動作記載部５を表示装置に表示させる。
ｂ）表示装置に表示した基本パターン２ａ１、・・・、３ａ１、・・・のいずれかをマウスでドラッグしながら、表示装置に表示した練習用動作記載部５の身体基本図Ｍ上に移動させる。この対話式操作により、表示装置に表示されている身体基本図Ｍ上に顔と手の基本パターンを描いて身体動作図Ｍ１、・・・を作図することができる。すなわち、図４に示す練習用動作記載部５の身体動作図Ｍ１、・・・、各欄の説明等をパーソナルコンピュータにより作成することができる。
ｃ）上記ａ）、ｂ）の処理を行うプログラムは、パーソナルコンピュータ上で作動できるようにする。また、作成した練習用動作記載部５を外部記憶装置に記憶するプログラム、および印刷するプログラムも作成して、コンピュータ読み取り可能な記録媒体に記憶しておく。
【００４６】
ダンス等の練習生は、上記手順（１）〜（４）により作成したコンピュータ読み取り可能な記録媒体を用いて、パーソナルコンピュータと対話方式により練習用動作記載部５を作成して印刷することにより、ダンス等の練習を行うためのシートを作成することができるようになる。
【図面の簡単な説明】
【００４７】
【図１】本発明を構成する基本動作パターン解説部の記載例を示す図である。
【図２】同じく、本発明を構成する基本動作パターン解説部の記載例を示す図である。
【図３】本発明を構成する練習用動作記載部の構成例を説明するための図である。
【図４】図３に示す練習用動作記載部に、練習生が踊りの動作図等を記入した例を説明するための図である。
【図５】本発明を構成する練習用動作記載部の他の構成例を説明するための図である。
【符号の説明】
【００４８】
１  ：基本動作パターン解説部
２  ：顔の基本パターン部分
２ａ：顔の基本パターン表示部
２ｂ：顔の基本パターンの説明部
３  ：手の基本パターン部分
３ａ：手の基本パターン表示部
３ｂ：手の基本パターンの説明部
４  ：身体の動作表示例部
５  ：練習用動作記載部
６  ：身体動作図表示例部
Ｍ  ：身体基本図
Ｍ１、Ｍ２、・・・：身体動作図
【図１】
2006061492.tif 000003
【図２】
2006061492.tif 000004
【図３】
2006061492.tif 000005
【図４】
2006061492.tif 000006
【図５】
2006061492.tif 000007